(57)【要約】【課題】本発明は、従来と比較して筐体外に送り出す空気に関係なく優れた空気の汚れ除去を発揮することができる空気清浄機を提供する。【解決手段】本発明の空気清浄機は、筐体後部側面に吸込み口を配置した。【選択図】図４
2015205224.tif 000002
【特許請求の範囲】
【請求項１】
筐体後部側面に吸込み口を配置したことを特徴とする空気清浄機。
【請求項２】
請求項１に記載の空気清浄機において、
筐体後部側面の吸込み口へ筐体前方の空気を吸込む様に誘導できる構造を配置したことを特徴とする空気清浄機。
【請求項３】
請求項２に記載の空気清浄機において、
筐体前方の空気を吸込む様に誘導できる構造を筐体側面の面と兼用したことを特徴とする空気清浄機。
【請求項４】
請求項３に記載の空気清浄機において、
筐体後部にも後部吸込み口を配置し、かつ前記後部吸い込み口に筺体の側面方向を向く格子を配置したことを特徴とする空気清浄機。
【発明の詳細な説明】
【技術分野】
【０００１】
本発明は、空気清浄機に関する。
【背景技術】
【０００２】
従来、空気清浄機は、または、筐体前部側面に吸込み口を配置したものの他に、筐体裏面に吸込み口を配置したものがある（例えば、特許文献１参照）。この空気清浄機は、内部のファンによって、吸込み口から、室内の空気をフィルタに通した後、筐体外に送り出す構成となっている。この特許文献１に記載の吸込み口は筐体裏面に配置した構成となっている。
【先行技術文献】
【特許文献】
【０００３】
【特許文献１】特許第４１１８３１６号公報
【発明の概要】
【発明が解決しようとする課題】
【０００４】
従来の空気清浄機（例えば、特許文献１参照）では、室内の空気の汚れ(塵埃、臭気)を素早く除去するため、筐体外に送り出す空気を室内の最寄の側壁面から天井、他の側壁面に沿わせて室内に空気を、筐体裏面の吸込み口へ効率良く循環させる構成だが、室内の側壁または、天井面に障害物があった場合は、気流の循環が効率良く室内全体に行き届かなく、室内の空気の汚れを除去する性能を十分発揮できない場合がある。
【０００５】
そこで、本発明の課題は、従来と比較して優れた空気の汚れを除去する性能を発揮することができる空気清浄機を提供することにある。
【課題を解決するための手段】
【０００６】
前記課題を解決するために、本発明の空気清浄機は、筐体後部側面に吸込み口を配置したことを特徴とする。
【発明の効果】
【０００７】
この空気清浄機では、筐体後部側面に吸込み口を配置したので、筐体裏面に吸込み口を配置した従来の空気清浄機と比べて、より室内中心側の空気を吸込むことができ、室内の側壁または、天井面に障害物の有無に関係なく、空気の汚れを除去する性能が向上する。
【０００８】
また、筐体後部側面に吸込み口を配置したことにより、筐体側面を筐体前面の空気を吸込む様に誘導する構造とし、より室内中心側の空気を吸込むことができ、室内の側壁または、天井面に障害物の有無に関係なく、空気の汚れを除去する性能が向上する。
【０００９】
本発明によれば、従来と比較して優れた空気の汚れを除去する性能を発揮することができる空気清浄機を提供することができる。
【図面の簡単な説明】
【００１０】
【図１】本発明の実施形態に係る空気清浄機の外観斜視図である。
【図２】本発明の実施形態に係る空気清浄機の分解斜視図である。
【図３】本発明の実施形態に係る空気清浄機を背面から見た際の分解斜視図である。
【図４】本発明の実施形態に係る空気清浄機を背面から見た際の空気の誘導を示す外観斜視図である。
【図５】本発明の別の実施形態に係る空気清浄機を背面から見た際の空気の誘導を示す外観斜視図である。
【図６】本発明の更に別の実施形態に係る空気清浄機を背面から見た際の外観斜視図である。
【発明を実施するための形態】
【００１１】
以下に、本発明の実施形態について適宜図面を参照しながら詳細に説明する。
図１は、本発明の実施形態に係る空気清浄機１の外観斜視図である。図２は、空気清浄機１の分解斜視図である。
【００１２】
＜空気清浄機の全体構成＞
図１及び図２に示すように、本実施形態に係る空気清浄機１は、フロントパネル４ａと、一対のサイドパネル４ｂ，４ｂ（図１には、左側のサイドパネル４ｂのみ図示）と、アッパケース４ｃと、リアパネル４ｄと、を備えてハウジング４が形成されている。
【００１３】
このハウジング４は、水タンク２０が引き出し可能に収容されるタンクベース６と、これに取り付けられるリアケース４ｅ（図２参照）とを介して組み立てられている。
なお、左側のサイドパネル４ｂには、加湿フィルタ３をハウジング４から取り出す際の開閉蓋４ｆが設けられている。また、図１及び図２中、符号７は、開閉角度の調節可能な後記するフラップである。ちなみに、このフラップ７は、後縁側を軸にして前縁側が持ち上がるように回動して開く構成となっている。
【００１４】
図２に示すように、空気清浄機１のハウジング４内には、リアパネル４ｄ側からフロントパネル４ａ側に向かって、浄化フィルタユニット８と、加湿フィルタ３と、送風機構１０と、がこの順番で配置されている。
浄化フィルタユニット８は、プレフィルタ８ａと、集塵フィルタ８ｂと、脱臭フィルタ８ｃとで主に構成され、送風機構１０は、遠心ファン１１と、スクロール１２と、モータ１３とで主に構成されている。
【００１５】
ちなみに、このハウジング４内には、後記する送風機構１０の遠心ファン１１が回転することによって、リアパネル４ｄの両側縁部の吸込み口４ｇ，４ｇからハウジング４の外部の空気が流入する。そして、この空気流は、浄化フィルタユニット８と、加湿フィルタ３と、をこの順番で流通する。その後、空気は、遠心ファン１１が収納されるスクロール１２の上部開口からフィルタ１４及びフラップ７を介して空気清浄機１のハウジング４外に送り出される。
【００１６】
浄化フィルタユニット８は、リアパネル４ｄ側からフロントパネル４ａ側に向かって、プレフィルタ８ａと、集塵フィルタ８ｂと、脱臭フィルタ８ｃと、がこの順番で配置されて構成されている。
【００１７】
プレフィルタ８ａは、綿ゴミ等の比較的大きなゴミを捕集するものである。集塵フィルタ８ｂは、チリ、ホコリ、花粉等の比較的小さな微粒子を捕集するものである。脱臭フィルタ８ｃは、臭いの元となる化学物質を吸着するものである。
【００１８】
加湿フィルタ３は、これを流通する空気の湿度を高めるものである。
【００１９】
送風機構１０は、スクロール１２内に配置される遠心ファン１１と、この遠心ファン１１を回転させるモータ１３とを備えて構成されている。
この送風機構１０は、前記したように、遠心ファン１１が回転することにより、リアパネル４ｄの吸込み口４ｇ，４ｇから導入した空気を浄化フィルタユニット８及び加湿フィルタ３に流通させた後、フラップ７を介してハウジング４外に送り出す。
【００２０】
次に、空気清浄機１の吸込み口４ｇ，４ｇについて説明する。
吸込み口４ｇ，４ｇは、図３に示すように、リアパネル４ｄとサイドパネル４ｂ等とで形成される。本実施形態では、リアパネル４ｄは、背面部４ｄ１と上部４ｄ２と側部４ｄ３とからなり、リアパネル４ｄの側方である側部４ｄ３の下側に開口を有しており、リアパネル４ｄを取り付けた際に、開口が吸込み口４ｇ、４ｇとなる。なお、リアパネル４ｄは集塵フィルタ８ｂと、脱臭フィルタ８ｃを交換する時に外せる構造となっている。
【００２１】
図４の吸込み口４ｇ，４ｇは空気清浄機１の筐体の後部側面に配置されている。これにより、筐体裏面に吸込み口を配置した従来の空気清浄機と比べて、より室内中心側の空気を吸込むことができ、室内の側壁または、天井面に障害物の有無に関係なく、空気の汚れを除去する性能が向上する。また、筐体後部側面に吸込み口を配置したことにより、サイドパネル４ｂ，４ｂが誘導板の役割を果たし、フロントパネル４ａ付近の空気の汚れを効率良く吸込み口４ｇ，４ｇまで導くことができる。これにより、筐体側面を筐体前面の空気を吸込む様に誘導する構造とし、より室内中心側の空気を吸込むことができ、室内の側壁または、天井面に障害物の有無に関係なく、空気の汚れを除去する性能が向上する。更に、フロントパネル４ａ付近の空気の汚れを効率良く吸込み口４ｇ，４ｇまで導くため、に吸込み口４ｇ，４ｇの前面にはサイドパネル４ｂ，４ｂ面がフロントパネル４ａ面まで、フラットに配置されていることが望ましい。
【００２２】
この構造により室内中央の空気の汚れ、すなわち筐体前面の空気の汚れは、黒太矢印の様にフロントパネル４ａ付近からサイドパネル４ｂ，４ｂの面に沿って吸込み口４ｇ，４ｇに吸込まれる。また、筐体後部に吸込み口が無いため、筐体裏面を室内の側壁に近づけても室内の側壁に空気の汚れが到達する前に筐体後部側面の吸込み口４ｇ，４ｇに吸込まれるため、室内の側壁が空気の汚れの流れで汚れにくくなる。
【００２３】
以上、本発明の実態形態について説明したが、本発明は前記実施形態に限定されず、数々の他の形態で実施することができる。筐体後部側面の吸込み口４ｇ，４ｇだけであったが、別の実施形態として、図５の様に筐体の側面厚みを薄くするため、筐体後部側面の吸込み口４ｇ，４ｇを狭くし、かつ同様の吸込みを得るため、筐体後部にも後部吸込み口４ｈ，４ｈを配置してもよい。更に、吸込み方向を側面側にするため、後部吸込み口４ｈ、４ｈ、の開口の向きを筺体の側面方向とする、後部吸い込み口４ｈ、４ｈに筺体の側面方向を向く格子２２を配置する、などしてもよい。筐体後部側面の吸込み口４ｇ，４ｇがあることから、筐体裏面を室内の側壁くっつけて設置した場合、筐体後部吸込み口４ｈ，４ｈは室内の側壁に塞がれるが、筐体後部側面の吸込み口４ｇ，４ｇで室内の空気の汚れを吸込むことができる。
【００２４】
更に別の実施形態として、筐体前面の空気の汚れを吸込むように、筐体前面から筐体後部側面の吸込み口４ｇ，４ｇへ導く図７のダクト２３を装着、または一体化することにより、より室内中心側の空気を吸込むことができ、空気の汚れを除去する性能が向上する。
【符号の説明】
【００２５】
１      空気清浄機
２      給水機構
３      加湿フィルタ
４      ハウジング
４ａ    フロントパネル
４ｂ    サイドパネル
４ｃ    アッパケース
４ｄ    リアパネル
４ｅ    リアケース
６      タンクベース
７      フラップ
８      浄化フィルタユニット
８ａ    プレフィルタ
８ｂ    集塵フィルタ
８ｃ    脱臭フィルタ
１０    送風機構
１１    遠心ファン
１２    スクロール
１３    モータ
２０    水タンク
２１    ポンプ
２２    格子
【図１】
2015205224.tif 000003
【図２】
2015205224.tif 000004
【図３】
2015205224.tif 000005
【図４】
2015205224.tif 000006
【図５】
2015205224.tif 000007
【図６】
2015205224.tif 000008